(57)【要約】【課題】下枠にアタッチメントを取付けてバリアフリーに対応できると共に、そのアタッチメント部分の外観の見栄えが良いシャッター付きサッシとする。【解決手段】サッシ枠１の縦枠１２に取付けられ、その縦枠１２から室外側に張り出したガイドレール２０に沿ってシャッター２１を上下動自在としてシャッター付きサッシとし、前記サッシ枠１の下枠１１にアタッチメント３を取付けて下枠１１の上面とアタッチメント３の上面が略同一高さとしてバリアフリーに対応できるようにし、前記アタッチメント３の小口３ｂとガイドレール２０の下端面２０ａにおける室外側部分とを小口塞ぎ部材５で閉塞してアタッチメント３部分の外観の見栄えが良いものとする。【選択図】図１
2008308885.tif 000002
【特許請求の範囲】
【請求項１】
サッシ枠の縦枠に取付けられ、その縦枠よりも室外側に張り出したガイドレールに沿ってシャッターを上下動自在としたシャッター付きサッシにおいて、
前記サッシ枠の下枠にアタッチメントが、このアタッチメントの上面と下枠の上面が略同一高さとして取付けられ、
このアタッチメントの上面と前記ガイドレールの下端面とが対向していると共に、前記アタッチメントの小口と前記ガイドレールの下端面における室外側部分とが小口塞ぎ部材で閉塞されていることを特徴とするシャッター付きサッシ。
【請求項２】
アタッチメントの小口を閉塞する第１塞ぎ部材と、ガイドレールの下端面における室外側部分を閉塞する第２塞ぎ部材とで小口塞ぎ部材とし、
前記第１塞ぎ部材をアタッチメントに取付けるようにした請求項１記載のシャッター付きサッシ。
【請求項３】
第１塞ぎ部材をアタッチメントに、上下移動可能に取付けた請求項２記載のシャッター付きサッシ。
【請求項４】
第１塞ぎ部材を縦向きの板状とし、第２塞ぎ部材を横向きの板状として小口塞ぎ部材を鉤形状とした請求項２又は３記載のシャッター付きサッシ。
【発明の詳細な説明】
【技術分野】
【０００１】
本発明は、サッシ枠の室外側部にシャッターを備えたシャッター付きサッシに関する。
【背景技術】
【０００２】
従来からシャッター付きサッシは種々提案されている。
例えば、特許文献１，２に開示されたシャッター付きサッシが提案されている。
前記特許文献１に開示されたシャッター付きサッシは、サッシ枠の左右の縦枠における室外側部（前部）に、シャッターを上下動自在にガイドするガイドレールをそれぞれ取付けると共に、サッシ枠の上枠よりも上部に、シャッターを巻き取り、繰り出しする巻取りドラムを設けたものである。
前記特許文献２に開示されたシャッター付きサッシは、サッシ枠の周囲にシャッター枠を取付け、そのシャッター枠の上部にシャッター巻き取り、繰り出しする巻取部を設け、シャッター枠の左右の縦枠に沿ってシャッターを上下動自在とし、そのシャッター枠の下枠にアタッチメントを取付け、サッシ枠の下枠の上部とアタッチメントの上面を同一高さとしてバリアフリーに対応できるようにしてある。
【０００３】
【特許文献１】特開２００２−３６４２７５号公報
【特許文献２】特開２００６−２８９６６号公報
【発明の開示】
【発明が解決しようとする課題】
【０００４】
特許文献１に開示されたシャッター付きサッシは、その下枠の上面が段階形状で、バリアフリーに対応できないから、特許文献２に開示されたシャッター付きサッシのように、下枠にアタッチメントを取付けてバリアフリーに対応できるようにすることが考えられる。
しかし、ガイドレールは縦枠の室外側部に取付けられ、縦枠よりも室外側に張り出しているから、下枠にアタッチメントを取付ける際にガイドレールが邪魔になるので、ガイドレールの下部をアタッチメントの高さ寸法に合わせて切断し、この切断面を下端面としてアタッチメントの上面と対向することになる。
このために、室外から見た時に、ガイドレールの下端面（切断面）が見えるし、アタッチメントの小口（長手方向の端面）が見えてしまうので、アタッチメント部分の外観の見栄えが悪いものとなる。
【０００５】
本発明の目的は、下枠にアタッチメントを取付けてバリアフリーに対応できると共に、アタッチメント部分の外観の見栄えを良いものにできるシャッター付きサッシを提供することである。
【課題を解決するための手段】
【０００６】
本発明は、サッシ枠の縦枠に取付けられ、その縦枠よりも室外側に張り出したガイドレールに沿ってシャッターを上下動自在としたシャッター付きサッシにおいて、
前記サッシ枠の下枠にアタッチメントが、このアタッチメントの上面と下枠の上面が略同一高さとして取付けられ、
このアタッチメントの上面と前記ガイドレールの下端面とが対向していると共に、前記アタッチメントの小口と前記ガイドレールの下端面における室外側部分とが小口塞ぎ部材で閉塞されていることを特徴とするシャッター付きサッシである。
【０００７】
本発明においては、アタッチメントの小口を閉塞する第１塞ぎ部材と、ガイドレールの下端面における室外側部分を閉塞する第２塞ぎ部材とで小口塞ぎ部材とし、
前記第１塞ぎ部材をアタッチメントに取付けるようにできる。
このようにすれば、第１塞ぎ部材をアタッチメントに取付ければ良いので、その小口塞ぎ部材の取付けが簡単である。
【０００８】
本発明においては、第１塞ぎ部材をアタッチメントに、上下移動可能に取付けることができる。
このようにすれば、第１塞ぎ部材を上下に移動することで第２塞ぎ部材を上下に移動してガイドレールの下端面に確実に接することができる。
【０００９】
本発明においては第１塞ぎ部材を縦向きの板状とし、第２塞ぎ部材を横向きの板状として小口塞ぎ部材を鉤形状にできる。
このようにすれば、小口塞ぎ部材が目立つことがなく、外観の見栄えがより一層良いものにできる。
【発明の効果】
【００１０】
本発明によれば、下枠にアタッチメントを取付けてバリアフリーに対応できる。
また、アタッチメントの小口及びガイドレールの下端面における室外側部分が小口塞ぎ部材で閉塞されて室外から見えないので、アタッチメント部分の外観の見栄えが良い。
しかも、ガイドレールの下端面がアタッチメントの上面と対向しているので、既存のシャッター付きサッシの下枠にアタッチメントを取付けると共に、ガイドレールの下端部をアタッチメントの高さ寸法に合わせて切断し、その切断面を下端面としてアタッチメントの上面に対向させることで、既存のシャッター付きサッシをバリアフリーに対応したシャッター付きサッシに改装できる。
【発明を実施するための最良の形態】
【００１１】
図１に示すように、サッシ枠１の室外側部にシャッター装置２を取付けてシャッター付きサッシとしてある。
前記サッシ枠１は上枠１０と下枠１１と左右の縦枠１２，１２を方形状に連結してある。
前記シャッター装置２は、前記左右の縦枠１２の室外側部に取付けた左右のガイドレール２０と、このガイドレール２０に沿って上下動自在なシャッター２１と、前記上枠１０の上部に設けたシャッターケース２２と、このシャッターケース２２内に設けられた前記シャッター２１を巻き取り、繰り出しする巻取りドラム２３を備えている。
【００１２】
前記下枠１１の室外側部分にはアタッチメント３が取付けてあり、このアタッチメント３の上面３ａと下枠１１の室内側部分の上面１１ａをほぼ同一高さとしてバリアフリーに対応できるようにしてある。
前記アタッチメント３は、その長手方向両端部が左右の縦枠１２の外側面１２ａとほぼ面一となるようにしてあり、左右のガイドレール２０の下端面２０ａがアタッチメント３の上面３ａと対向している。
【００１３】
例えば、既存のシャッター付きサッシの下枠にアタッチメント３を取付ける場合には、既存のガイドレール２０を取り外して下端部をアタッチメント３の高さ寸法に応じて切断し、その切断面を下端面２０ａとする。
そして、アタッチメント３を取付けた後に前述のガイドレール２０を再び取付けてアタッチメント３の上面３ａと対向する。
このようにすることで、既存のシャッター付きサッシをバリアフリーに対応できるシャッター付きサッシに改装することができる。
【００１４】
前記サッシ枠１には障子４が開閉自在に装着してサッシとしてある。例えば、２枚の障子４を引き違いに装着して引き違いサッシとしてある。
【００１５】
前述のシャッター付きサッシであると、ガイドレール２０の下端面２０ａ及びアタッチメント３の小口（長手方向の端面）３ｂが室外から目視されてしまう。
そこで、本発明においては、小口塞ぎ部材５を設けることで、前述のアタッチメント３の小口３ｂ、ガイドレール２０の下端面２０ａにおける室外側部分を閉塞して室外から目視されないようにすることで、アタッチメント３部分の外観の見栄えを良くするようにした。
【００１６】
前記小口塞ぎ部材５は、例えば図２に示すように、アタッチメント３の小口３ｂを閉塞する第１塞ぎ部材５ａと、この第１塞ぎ部材５ａに設けられガイドレール２０の下端面２０ａにおける室外側部分を閉塞する第２塞ぎ部材５ｂを有し、その第１塞ぎ部材５ａをアタッチメント３に固着して取付けるようにしてある。
このようにすれば、第１塞ぎ部材５ａをアタッチメント３に取付けるだけで良いから、その小口塞ぎ部材５の取付けが簡単である。
【００１７】
前記小口塞ぎ部材５は、その第１塞ぎ部材５ａをアタッチメント３に上下移動可能に取付けてある。
このようにすれば、第１塞ぎ部材５ａをアタッチメント３に対して上下に移動することで、第２塞ぎ部材５ｂが上下に動くから、その第２塞ぎ部材５ｂをガイドレール２０の下端面２０ａに確実に接することができる。
例えば、ガイドレール２０の切断長さに誤差がある場合に、その誤差に応じて上下に動かして第２塞ぎ部材５ｂをガイドレール２０の下端面（切断面）２０ａに確実に接することができる。
【００１８】
前記小口塞ぎ部材５は、その第１塞ぎ部材５ａを縦向き板状、第２塞ぎ部材５ｂを横向き板状として鉤形状とすることが好ましい。
このようにすれば、室外から見た時に小口塞ぎ部材５が目立つことがなく、見栄えがより一層良いものにできるし、小口塞ぎ部材５が小さく安価に製作できる。
【００１９】
次に、各部材の具体形状を図３〜図６に基づいて説明する。なお、図１、図２は概略的に図示してあり、各部材は図３〜図６に示す具体形状と大きさ、形状などが異なることがある。
前記下枠１１は、図３に示すように、室内側部分１１ａに障子用レール１３と網戸用レール１４を備え、室外側部分１１ｂは室内側部分１１ａよりも低く、下枠１１の上面は室内側部分１１ａが高く、室外側部分１１ｂが低い形状である。
前記網戸用レール１４の上部は障子用レール１３の上部よりも低い。
前記縦枠１２は、図４に示すように、その室外側面１２ｂにアタッチメント取付用の取付受片１５と、アタッチメント係止用の係止受片１６が面内方向に離隔して設けてある。前記取付受片１５が面内方向内側寄りで、前記係止受片１６は縦枠１２の外側面１２ａと面一に連続している。
前記縦枠１２の室外側面１２ｂは下枠１１の室外側面１１ｃよりも室内寄りで、前記取付受片１５、係止受片１６の先端部も下枠１１の室外側面１１ｃよりも室内寄りである。
【００２０】
前記ガイドレール２０は図４に示すように、面内方向内側に開口したガイド溝部２０ｂを有し、その室内側面２０ｃには取付片１７と係止片１８が面内方向に離隔して有している。
このガイドレール２０は、面内方向の内側から外側に向けて移動して係止片１８を係止受片１６に係止すると共に、取付片１７を取付受片１５に接し、その取付片１７と取付受片１５を固着具、例えばビス１９で固着してガイドレール２０を縦枠１２に着脱自在に取付ける。
このようであるから、ガイドレール２０を縦枠１２に簡単に着脱自在に取付けできる。
【００２１】
前記アタッチメント３は図３に示すように、本体３０と、この本体３０に室内側に向けて設けた横向片３１と、この横向片３１に設けた網戸用レール３２と、室内側取付片３３と、前記本体３０に下向きに設けた室外側取付片３４を備え、その室内側取付片３３を下枠１１の室内側部分１１ａにおける網戸用レール１４と障子用レール１３との間の部分に接して上下方向に向かうビス３５で固着すると共に、前記室外側取付片３４を下枠１１の室外側部分１１ｂに接し、面外方向（室内外側方向）に向かうビス３６で固着して取付ける。
例えば、室外側取付片３４の下部を横片３４ａと縦片３４ｂで鉤形状とし、その横片３４ａを下枠１１の横向き部１１ｄに接し、縦片３４ｂを縦向き部１１ｅに接し、ビス３６で固着する。
このようであるから、アタッチメント３を下枠１１に室内外側方向及び上下方向に位置決めして簡単に取付けできる。
【００２２】
前記アタッチメント３の本体３０の上面３０ａと網戸用レール３２の上面３２ａが下枠１１の障子用レール１３の上面１３ａとほぼ同一高さで、アタッチメント３の上面３ａと下枠１１の上面がほぼ面一で、バリアフリーに対応できる。
前記本体３０は、室外寄りに凹部３７を有すると共に、本体３０の上面３０ａにおける室内寄りは水平面であるが、錠受けを取付ける室外寄りは斜面である。
これは、本体３０の錠受け取付け部分の形状を、下枠１１の錠受けを取付ける部分１１ｆと同一形状とし、同一の錠受けを取付けできるようにするためと、雨水等の排水のためである。
【００２３】
前記アタッチメント３の長手方向端面３ｃは、図４に示すように縦枠１２の内側面１２ｄ、取付受片１５の内側面１５ａ、係止受片１６の先端面１６ａに接するように切断加工され、アタッチメント３は係止受片１６よりも室外側に張り出し、その張り出した部分の端面３ｃを前述のアタッチメント３の小口３ｂとしてある。
【００２４】
前記小口塞ぎ部材５は、縦板５０と横板５１で鉤形状で、図６に示すように、その縦板５０の上下方向の長孔５２からビス５３をアタッチメント３の室外側取付片３４に形成したビスホール３４ｃに螺合して上下移動可能に取付けられ、この縦板５０が本体３０の室外側部分と室外側取付片３４に接すると共に、縦枠１２の係止受片１６の先端面１６ａに接してアタッチメント３の小口３ｂを閉塞している。つまり、この縦板５０が第１塞ぎ部材５ａである。
前記横板５１がガイドレール２０の面内方向の長さとほぼ同一で、この横板５１がガイドレール２０の下端面２０ａにおける室外側部分に接して閉塞している。つまり、この横板５１が第２塞ぎ部材５ｂである。
【００２５】
また、前記縦板５０は上下移動可能にアタッチメント３に取付けてあるので、その縦板５０を上下に移動することで横板５１が上下に動くから、その横板５１をガイドレール２０の下端面２０ａに確実に接することができる。
【００２６】
前記小口塞ぎ部材５はステンレス製である。なお小口塞ぎ部材５をアルミダイカスト製とすることで、下枠１１、ガイドレール２０がアルミ押出形材であるから、それらの外観を同様なものとして意匠性を向上できる。また、小口塞ぎ部材５はステンレス、アルミダイカストに限ることはない。
【００２７】
次に、既存のシャッター付きサッシをバリアフリーに対応できるように改装する手順の一例を説明する。
前記ガイドレール２０を縦枠１２に固着しているビス１９を緩めてガイドレール２０を取り外しする。
図示しない錠受けを下枠１１から取り外し、その錠受けをアタッチメント３に取付ける。
前述のアタッチメント３に小口塞ぎ部材５を取付けて小口３ｂを閉塞する。
このアタッチメント３を下枠１１に取付ける。
前述の取り外したガイドレール２０の下端部をアタッチメント３の高さ寸法に合わせて切断し、そのガイドレール２０を再び縦枠１２に取付け、その切断面を小口塞ぎ部材５の横板５１で閉塞する。
このガイドレール２０の取付けは、上部が所定の位置となるように取付けるので、切断誤差などで切断面が横板５１に接しないことがあるので、その場合には前記アタッチメント３に取付けた小口塞ぎ部材５を上下に移動して横板５１をアタッチメント３の切断面に接する。
【図面の簡単な説明】
【００２８】
【図１】本発明の実施の形態を示すシャッター付きサッシの概略外観図である。
【図２】図１のＡ部拡大図である。
【図３】図１の縦断面詳細図である。
【図４】図１の横断面詳細図である。
【図５】図４のＢ視外観図である。
【図６】アタッチメントとガイドレールと塞ぎ部材の分解斜視図である。
【符号の説明】
【００２９】
１…サッシ枠、２…シャッター装置、３…アタッチメント、３ａ…上面、３ｂ…小口、４…障子、５…塞ぎ部材、５ａ…第１塞ぎ部材、５ｂ…第２塞ぎ部材、１１…下枠、１２…縦枠、２０…ガイドレール、２０ａ…下端面。
【図１】
2008308885.tif 000003
【図２】
2008308885.tif 000004
【図３】
2008308885.tif 000005
【図４】
2008308885.tif 000006
【図５】
2008308885.tif 000007
【図６】
2008308885.tif 000008